(57)【特許請求の範囲】
【請求項１】
左右方向に複数並設された支持体の後部を、左右方向を向く横連結材により連結し、前記支持体上に天板を支持してなるデスク装置において、
前記支持体の後部に、支持体における天板の支持面より凹入する段落ち部を設け、この段落ち部に、起立片を設けるとともに、前記横連結材を支持体に固定するための取付部材を、その前面および下面が前記段落ち部の前端面および底面にそれぞれ当接し、かつ、前記取付部材の側面下部に設けた係合部を、前記起立片の側面に設けた被係合部に係合させて固着したことを特徴とするデスク装置。
【請求項２】
取付部材の係合部を、取付部材の側面下部に設けた外向き突部とし、かつ起立片の被係合部を、起立片の上端より内側方に突出し、前記外向き突部の上端に係合する係合片とした請求項１記載のデスク装置。
【請求項３】
取付部材を、前後方向を向く取付ねじをもって支持体に固着し、取付部材の両側面に他の部材を取付可能とした請求項１または２記載のデスク装置。
【請求項４】
取付部材の前端面に位置決めピンを突設し、この位置決めピンを、段落ち部における前端端面に設けた位置決め孔に嵌合することにより、取付部材を支持体に対して位置決めしうるようにした請求項１〜３のいずれかに記載のデスク装置。
【請求項５】
位置決め孔を上下方向に長い長孔とし、この長孔に位置決めピンを嵌合し、前記位置決めピンを中心として取付部材を回動させることにより、取付部材の係合部を、前記支持体における起立片の被係合部に係合させうるようにした請求項４記載のデスク装置。
【請求項６】
起立片を、支持体における段落ち部の側端に設けた請求項１〜５のいずれかに記載のデスク装置。
【請求項７】
支持体の少なくとも一つを袖箱とし、その袖箱の後端部における一方の側部に、取付部材を取付けた請求項１〜６のいずれかに記載のデスク装置。
【発明の詳細な説明】
【技術分野】
【０００１】
本発明は、左右方向に間隔をあけて並設された複数の脚や袖箱等の支持体の後部を、左右方向を向く横連結材により連結し、支持体上に天板を支持してなるデスク装置に関する。
【背景技術】
【０００２】
この種のデスク装置には、支持体の後部に、支持体における天板の支持面より凹入する段落ち部を設け、この段落ち部に、横連結材を支持体に固定するための取付部材を、その前面および下面が段落ち部の前端面および底面にそれぞれ当接するようにして、前後方向を向く取付ねじと上下方向を向く取付ねじとをもって、支持体に固着したものがある(例えば特許文献１参照)。
【特許文献１】特開２００６−１３６５７８号公報
【発明の開示】
【発明が解決しようとする課題】
【０００３】
しかし、上述のような従来のデスク装置においては、取付ねじのねじ止め作業時に、段落ち部に対する取付部材の左右方向の位置決め手段がないため、取付作業時に、取付部材を手で押えながら作業を行わなければならず、また、方向の異なる複数の取付ねじをもって、取付部材を段落ち部に螺着しなければならず、作業が煩雑で、作業効率が悪い等の問題がある。
作業を簡略化するため、例えば前後方向の取付ねじのみをもって取付部材を支持体に固着し、上下方向の取付ねじを省略すると、取付部材の下面と支持体における段落ち部の底面とが接合されず、外力が作用したとき、取付部材が段落ち部の底面から浮き上がるおそれがあり、取付部材の結合強度が低下する。
【０００４】
本発明は、従来の技術が有する上記のような問題点に鑑み、取付部材の左右方向の位置決めを容易にすることができるとともに、取付作業効率を高めることができ、しかも、取付部材と支持体との十分な結合強度が得られるようにしたデスク装置を提供することを目的としている。
【課題を解決するための手段】
【０００５】
本発明によると、上記課題は次のようにして解決される。
(１)  左右方向に複数並設された支持体の後部を、左右方向を向く横連結材により連結し、前記支持体上に天板を支持してなるデスク装置において、前記支持体の後部に、支持体における天板の支持面より凹入する段落ち部を設け、この段落ち部に、起立片を設けるとともに、前記横連結材を支持体に固定するための取付部材を、その前面および下面が前記段落ち部の前端面および底面にそれぞれ当接し、かつ、前記取付部材の側面下部に設けた係合部を、前記起立片の側面に設けた被係合部に係合させて固着する。
【０００６】
(２)  上記(１)項において、取付部材の係合部を、取付部材の側面下部に設けた外向き突部とし、かつ起立片の被係合部を、起立片の上端より内側方に突出し、前記外向き突部の上端に係合する係合片とする。
【０００７】
(３)  上記(１)または(２)項において、取付部材を、前後方向を向く取付ねじをもって支持体に固着し、取付部材の両側面に他の部材を取付可能とする。
【０００８】
(４)  上記(１)〜(３)項のいずれかにおいて、取付部材の前端面に位置決めピンを突設し、この位置決めピンを、段落ち部における前端端面に設けた位置決め孔に嵌合することにより、取付部材を支持体に対して位置決めしうるようにする。
【０００９】
(５)  上記(４)項において、位置決め孔を上下方向に長い長孔とし、この長孔に位置決めピンを嵌合し、前記位置決めピンを中心として取付部材を回動させることにより、取付部材の係合部を、前記支持体における起立片の被係合部に係合させうるようにする。
【００１０】
(６)  上記(１)〜(５)項のいずれかにおいて、起立片を、支持体における段落ち部の側端に設ける。
【００１１】
(７)  上記(１)〜(６)項のいずれかにおいて、支持体の少なくとも一つを袖箱とし、その袖箱の後端部における一方の側部に、取付部材を取付ける。
【発明の効果】
【００１２】
本発明によると、次のような効果を奏することができる。
請求項１記載の発明によると、取付部材の側面下部に設けた係合部を、起立片の側面に設けた被係合部に係合させるだけで、支持体に対する取付部材の左右方向の位置決めが簡単に行われるので、取付作業効率を高めることができ、しかも、取付部材の係合部が起立片の被係合部に係合することにより、取付部材と支持体との結合強度を高めることができる。
【００１３】
請求項２記載の発明によると、取付部材の係合部である外向き突部の上端が、起立片の被係合部である係合片に係合することにより、取付部材の上方への移動が確実に阻止され、取付部材と支持体との結合強度を高めることができる。
【００１４】
請求項３記載の発明によると、取付部材を、前後方向を向く取付ねじのみをもって支持体に固着するだけとしても、取付部材の係合部が起立片の被係合部に係合することによって、取付部材の上下方向の移動が阻止され、取付部材と支持体との結合強度の増加に寄与することができるので、十分な結合強度を維持することができる。また、取付部材の両側面に他の部材を取付けることができる。
【００１５】
請求項４記載の発明によると、取付部材の位置決めピンを、段落ち部における前端端面に設けた位置決め孔に嵌合するだけで、取付部材を支持体に対して簡単に位置決めすることができる。
【００１６】
請求項５記載の発明によると、取付部材の位置決めピンを嵌合し、位置決めピンを中心として取付部材を回動させることにより、取付部材の係合部を、支持体における起立片の被係合部に簡単に係合させことができるとともに、このときの位置決めピンの上下動を、位置決め孔を上下方向に長い長孔としたことによって吸収することができる。
【００１７】
請求項６記載の発明によると、起立片を、支持体における段落ち部の側端に設けてあるので、起立片を支持体における側板と一体的に簡単に形成することができるとともに、支持体の段落ち部における取付部材を取付けるためのスペースを広く確保することができる。
【００１８】
請求項７記載の発明によると、支持体の少なくとも一つを袖箱として、天板を安定して支持することができるとともに、袖箱の後部の左右いずれかの側部に、取付部材を簡単に取付けることができる。
【発明を実施するための最良の形態】
【００１９】
図１は、本発明を、片袖机に適用した一実施形態における、天板を取り外した状態の斜視図である。
このデスク装置１は、一方の支持体である脚２と、他方の支持体である袖箱３と、脚２および袖箱３上に設けられた想像線で示す天板４と、脚２および袖箱３の後部上端に、連結金具５をもって結合された左右方向を向く横連結材６と、横連結材６の中間部前面に固定され、天板４の左右方向中間部の下面を支持するブラケット７とを備えている。
【００２０】
横連結材６は、アルミニウム合金の異形押出し材からなり、図２に断面形状を拡大して示すように、その前面上部には、前上向き傾斜する下縁を有するあり溝形の上部係止溝６ａが左右方向に沿って平行に形成され、また前面下部には、前下向き傾斜する上縁を有するあり溝形の下部係止溝６ｂが、左右方向に沿って平行に形成されている。
【００２１】
図２に示すように、ブラケット７の後端下部には、横連結材６の下部係止溝６ｂの上縁に係合する後ろ上向傾斜する係止爪７ａが一体的に設けられ、またブラケット７の後部の上方に配設した狭持用ブロック８の後端面には、横連結材６の上部係止溝６ａの下縁に係合する後ろ下向き傾斜する係止爪８ａが一体的に設けられ、狭持用ブロック８をブラケット７の後部上端に、上下方向を向くボルトＢをもって締着固定することにより、上下の係止爪８ａ、７ａをもって、横連結材６の前面における上下部係止溝６ａ、６ｂ間の部分を挾圧把持し、それによって、ブラケット７は、横連結材６の前面に、前方に突出するようにして取付けられている。
【００２２】
脚２は、側板を兼用した垂直の脚本体９と、脚本体９の下端より前方に向けて水平に延出する脚杆１０と、脚本体９の上端より前方に向けて水平に延出する天板支持腕１１とを備え、脚杆１０の下端前後部には、それぞれ不陸調整用の１対のアジャスタ１２が設けられ、また各天板支持腕１１の上面前後部には、天板４の下面に当接するとともに、一端部が支持腕１１に面一となるように固定され、かつ他端部が２本のボルトをもって天板４に固着された前後１対の連結板１３が固定されている。
【００２３】
袖箱３は、前面が開口し、かつ脚２と同一高さおよび同一奥行寸法とした中空の箱体であり、その上面を天板４の支持面とし、前面開口には、上下複数の抽斗３ａが、引出し可能に装着されている。
袖箱３の上面前後部に設けられた左右方向を向く溝内には、天板４にボルトをもって固着される前後複数の連結板１３が、必要に応じて袖箱３の両側面より側方に突出するように取付位置調節可能として固定されている。
【００２４】
図１および図４に示すように、袖箱３の後部上端には、天板４の支持面より一段低く凹入した側面視Ｌ字形の段落ち部１４が形成されている。
図５に拡大して示すように、段落ち部１４の両側部には、その底面１４ａの両側部から起立する起立片１５が設けられ、この起立片１５の上端には、被係合部となる内側方に向けて突出する係合片１５ａが設けられている。
また、起立片１５の近傍における段落ち部１４の前端面１４ｂには、上下１対のねじ孔１６と、上方のねじ孔１６より上方の上下方向に長い長孔とした位置決め孔１７とが、一直線上に並べて設けられている。
【００２５】
図３および図６に拡大して示すように、連結金具５は、脚２および袖箱３の後部側面に固着されるダイキャスト成形体からなる受支部材１８と、受支部材１８の水平の上面に載置され、かつ上下方向を向くボルトＢをもって締着される同じくダイキャスト成形体からなる押え部材１９とを備え、それぞれの後部下縁に形成した上向きおよび下向きの係止爪１８ａ，１９ａ(図３では省略)を横連結材６の前面に形成された係止溝６ａ，６ｂに係合し、かつ上記ボルトＢをもって互いに締着することにより、両係止爪１８ａ，１９ａをもって、横連結材６の前面における上下の係止溝６ａ，６ｂ間の部分を挾圧把持し、それによって、連結金具５は、横連結材６の前面に取付けられている。
【００２６】
受支部材１８は、側面視ほぼ倒立Ｌ字形に形成され、その一方の側端には、側面視方形の取付用フランジ２０が一体的に形成されている。
【００２７】
図３に示すように、脚２側においては、脚２の後上部の両側面に、受支部材１８の取付用フランジ２０における外側面２０ａ(図６参照)と補形をなす取付面２１を設け、ここに受支部材１８の取付用フランジ２０における外側面２０ａを当接させて、その対角部に設けた左右方向を向く挿通孔２０ｂ(図６参照)に通したボルト(図示略)をもって、取付用フランジ２０を、脚２の後上部の側面に固着することにより、受支部材１８は脚２に固着されている。
取付用フランジ２０における外側面２０ａと脚２の取付面２１とには、互いに補形をなすなす凹凸を設けておくのが好ましい。
図１および図３に示すように、横連結材６の左右の端面は、着脱可能としたエンドキャップ２２により閉塞されている。
【００２８】
図４〜図６に示すように、袖箱３の後端部においては、段落ち部１４の左右いずれかの端部に、両側面に取付面２１を設けた脚２の後上部と同様の形状としたブロック状の取付部材２３を固定し、この取付部材２３の両側面に、横連結材６に連結される連結金具５における受支部材１８の取付用フランジ２０を取付けることができるようにしてある。
【００２９】
取付部材２３は、ダイキャスト成形体からなるほぼ縦長直方体からなり、図６および図７に示すように、受支部材１８の取付用フランジ２０の外側面２０ａの凹凸面と補形をなす凹凸面とした取付面２４を左右両側に有するとともに、外側面２０ａの対角部に設けた１対の挿通孔２０ｂに対応する左右方向を向く４個のねじ孔２４ａが、取付面２４の四隅に設けられている。
【００３０】
取付用フランジ２０の外側面２０ａに設けられた挿通孔２０ｂが、対角部の２個のみであるのに対して、取付面２４に貫通形成されたねじ孔２４ａを４個としたのは、袖箱３が、デスク装置１の右側に位置するか、左側に位置するかで、いずれにも対応できるようにしたことと、隣合うデスク装置１同士を横連結材６で一体的に連結する場合にも対処できるように、取付部材２３の両側面の取付面２４に、受支部材１８の取付用フランジ２０を、互いに対抗して同時に取付けることができるようにしたものである。
【００３１】
このねじ孔２４ａに直交するようにして、取付部材２３には、段落ち部１４の前端面１４ｂに形成されたねじ孔１６に一致する前後方向を向く上下１対の挿通孔２５、２５が設けられ、また、図７に示すように、取付部材２３の前面上部には、長孔とした位置決め孔１７に嵌合される位置決めピン２６が突設されている。位置決めピン２６の外径は、位置決め孔１７の短軸方向の内径とほぼ等しく、嵌合状態で上下移動が可能となっている。
【００３２】
さらに、取付部材２３の左右両側面下部には、係合部となる直方体状の外向き突部２３ａが突設され、この外向き突部２３ａが、起立片１５の内面に設けた被係合部である係合片の下方に嵌合するようになっている。
【００３３】
図８(ａ)〜(ｅ)は、取付部材２３を袖箱３の段落ち部１４に取付ける要領を示している。
まず、(ａ)に示す取付部材２３の装着前では、起立片１５の係合片１５ａは、下向きＬ字状をなして、起立片１５の上端から内側方に向かって突出している。
【００３４】
取付部材２３を取付けるには、まずこの係合片１５ａとの干渉を避けるために、(ｂ)に示すように、取付部材２３の下部が係合片１５ａから離れるように、取付部材２３を側方に若干傾斜させた状態で、取付部材２３の前面が段落ち部１４の前端面に当接するまで、位置決めピン２６を位置決め孔１７に嵌合し、次いで、(ｃ)に示すように、取付部材２３の下端部が、段落ち部１４の底面１４ａに沿って、係合片１５ａに近接するように、取付部材２３を、位置決めピン２６として回動させつつ、下降させる。このときの取付部材２３の上下動は、位置決め孔１７を上下方向に長い長孔としたことにより許容される。
【００３５】
取付最終段階で、取付部材２３の外向き突部２３ａが起立片１５の係合片１５ａの下方に潜入し、係合片１５ａが外向き突部２３ａの上端に係合するとともに、係合片１５ａの内端が取付部材２３の外側面に当接して、取付部材２３の回動が停止させられる。
【００３６】
このとき、(ｄ)に示すように、係合片１５ａにより取付部材２３の上方への移動が規制され、挿通孔２５がねじ孔１６に一致し、取付部材２３の下面が段落ち部１４の底面１４ａに当接した状態で精度よく位置決めされる。
【００３７】
その後、(ｅ)に示すように、各ボルトＢを挿通孔２５を通して、ねじ孔１６に螺合して締め付ければ、取付部材２３の段落ち部１４への固定が完了する。
固定状態では、取付部材２３は、段落ち部１４に対する接触面積が大きく、取付部材２３の袖箱３に対する強度増に寄与することができる。
【００３８】
この後は、受支部材１８の係止爪１８ａを、横連結材６の下側係止溝６ｂに差込み(図示略)、その取付用フランジ２０の垂直面を取付面に係合し、ボルトＢにより、取付部材２３に締結すれば、受支部材１８の固定も完了し、さらにその上部に押え部材１９を取付けることにより、固定金具５をもって横連結材６に対する連結を完了することができる。
【００３９】
本発明は、上記実施形態のみに限定されるものではなく、幾多の変形した態様での実施が可能である。
例えば上記実施形態では、図１のデスク装置１に向って右側に袖箱３を配置した片袖机に適用した場合を示したが、左側に袖箱３を配置した片袖机、あるいは、デスク装置１の両側に袖箱３を配置した両袖机に適用することも可能であることは勿論であり、この場合には、左右に応じて取付部材２３の取付位置を右または左側の起立片１５に接して配置すればよい。
【００４０】
また、脚２の後上部にも、段落ち部１４と同様のものを設け、ここに、袖箱３におけるのと同様の構造をもって、取付部材２３を取付けるようにしてもよい。
さらに、上記実施形態においては、起立片を、支持体である袖箱３における段落ち部１４の側端に設けてあるが、これを、段落ち部１４の左右方向の中間部における底面１４ａまたは前端面１４ｂに突設してもよい。
【図面の簡単な説明】
【００４１】
【図１】本発明を、１人掛用の片袖机に適用した一実施形態における、天板を取り外したときの斜視図である。
【図２】図１の円Ａ内の拡大斜視図である。
【図３】同じく図１の円Ｂ内の拡大斜視図である。
【図４】同じく図１のＣ矢視における袖箱単体と、それに取り付けられる各部材を示す分解斜視図である。
【図５】図４の円Ｄ内の拡大斜視図である。
【図６】図４の円Ｅ内の拡大分解斜視図である。
【図７】図６のＦ矢視における取付部材の斜視図である。
【図８】(ａ)〜(ｅ)は、取付部材の取付要領を示す説明図である。
【符号の説明】
【００４２】
１  デスク装置
２  脚
３  袖箱
３ａ  抽斗
４  天板
５  連結金具
６  横連結材
６ａ，６ｂ  係止溝
７  ブラケット
７ａ  係止爪
８  狭持用ブロック
８ａ  係止爪
９  脚本体
１０  脚杆
１１  天板支持腕
１２  アジャスタ
１３  取付板
１４  段落ち部
１４ａ  底面
１４ｂ  前端面
１５  起立片
１５ａ  係合片
１６  ねじ孔
１７  位置決め孔(長孔)
１８  受支部材
１８ａ，１９ａ  係止爪
１９  押え部材
２０  取付用フランジ
２０ａ  外側面
２０ｂ  挿通孔
２１  取付面
２２  エンドキャップ
２３  取付部材
２３ａ  外向き突部
２４  取付面
２４ａ  ねじ孔
２５  挿通孔
２６  位置決めピン
Ｂ  ボルト
【図１】
0005064258.tif 000002
【図２】
0005064258.tif 000003
【図３】
0005064258.tif 000004
【図４】
0005064258.tif 000005
【図５】
0005064258.tif 000006
【図６】
0005064258.tif 000007
【図７】
0005064258.tif 000008
【図８】
0005064258.tif 000009